【手続補正書】
【提出日】平成28年4月6日(2016.4.6)
【手続補正１】
【補正対象書類名】特許請求の範囲
【補正対象項目名】全文
【補正方法】変更
【補正の内容】
【特許請求の範囲】
【請求項１】
第１のセルおよび第２のセルと通信しているユーザ機器（ＵＥ）によるワイヤレス通信の方法であって、
前記ＵＥにおいて前記第１のセルに関連付けられた第１のコンポーネントキャリアを確立することと、
前記ＵＥにおいて、前記第１のコンポーネントキャリアを維持しながら、前記第２のセルに関連付けられた第２のコンポーネントキャリアを確立することと、
前記ＵＥからのアップリンク送信のための利用可能なデータを有する論理チャネルグループのセットを決定することと、
第１のバッファステータス報告状態が発生したことを検出することと、
前記第１のバッファステータス報告状態の発生時に論理チャネルグループの前記セットのための前記利用可能なデータの総量に少なくとも部分的に基づいて第１のバッファステータス値を決定することと、
前記利用可能なデータの前記総量をしきい値と比較することと、
前記比較に基づいて前記第１のセル、前記第２のセル、または両方に前記第１のバッファステータス値を報告することと、
を備え、
前記報告することは、
前記利用可能なデータの前記総量が前記しきい値を下回るとき、前記第１のセルに前記第１のバッファステータス値を報告することと、
前記利用可能なデータの前記総量が前記しきい値に等しいかまたはそれを上回るとき、前記第１のセルと前記第２のセルとに前記第１のバッファステータス値を報告することと、
を備える、方法。
【請求項２】
後続のバッファステータス報告状態が発生したことを検出することと、
前記後続のバッファステータス報告状態の発生時に論理チャネルグループの前記セットのための前記利用可能なデータの後続の総量に少なくとも部分的に基づいて第２のバッファステータス値を決定することと、
前記利用可能なデータの前記後続の総量を前記しきい値と比較することと、
前記利用可能なデータの前記後続の総量が前記しきい値を下回るとき、前記第２のセルへのバッファステータス値報告を中止することと、
をさらに備える、請求項１に記載の方法。
【請求項３】
前記第２のセルへのバッファステータス値報告を前記中止することは、前記第２のセルに０のバッファステータス値を報告することを備える、請求項２に記載の方法。
【請求項４】
前記利用可能なデータの前記後続の総量が前記しきい値を下回るとき、前記第１のセルに前記第２のバッファステータス値を報告することと、
前記利用可能なデータの前記後続の総量が前記しきい値に等しいかまたはそれを上回るとき、前記第１のセルと前記第２のセルとに前記第２のバッファステータス値を報告することと、
をさらに備える、請求項２に記載の方法。
【請求項５】
ワイヤレス通信ネットワークの第１のセルおよび第２のセルとの通信のための通信デバイスであって、
前記通信デバイスにおいて前記第１のセルに関連付けられた第１のコンポーネントキャリアを確立するための手段と、
前記通信デバイスにおいて、前記第１のコンポーネントキャリアを維持しながら、前記第２のセルに関連付けられた第２のコンポーネントキャリアを確立するための手段と、
前記通信デバイスからのアップリンク送信のための利用可能なデータを有する論理チャネルグループのセットを決定するための手段と、
第１のバッファステータス報告状態が発生したことを検出するための手段と、
前記第１のバッファステータス報告状態の発生時に論理チャネルグループの前記セットのための前記利用可能なデータの総量に少なくとも部分的に基づいて第１のバッファステータス値を決定するための手段と、
前記利用可能なデータの前記総量をしきい値と比較するための手段と、
前記比較に基づいて前記第１のセル、前記第２のセル、または両方に前記第１のバッファステータス値を報告するための手段と、
を備え、
前記報告するための手段は、
前記利用可能なデータの前記総量が前記しきい値を下回るとき、前記第１のセルに前記第１のバッファステータス値を報告することと、
前記利用可能なデータの前記総量が前記しきい値に等しいかまたはそれを上回るとき、前記第１のセルと前記第２のセルとに前記第１のバッファステータス値を報告することと、
を行うように構成された、通信デバイス。
【請求項６】
後続のバッファステータス報告状態が発生したことを検出するための手段と、
前記後続のバッファステータス報告状態の発生時に論理チャネルグループの前記セットのための前記利用可能なデータの後続の総量に少なくとも部分的に基づいて第２のバッファステータス値を決定するための手段と、
前記利用可能なデータの前記後続の総量を前記しきい値と比較するための手段と、
前記利用可能なデータの前記後続の総量が前記しきい値を下回るとき、前記第２のセルへのバッファステータス値報告を中止するための手段と、
をさらに備える、請求項５に記載の通信デバイス。
【請求項７】
前記第２のセルへのバッファステータス値報告を中止するための前記手段は、前記第２のセルに０のバッファステータス値を報告するように構成された、請求項６に記載の通信デバイス。
【請求項８】
メモリと、
前記メモリに結合された少なくとも１つのプロセッサとを備え、前記プロセッサは、
第１のセルおよび第２のセルと通信しているユーザ機器（ＵＥ）において、前記第１のセルに関連付けられた第１のコンポーネントキャリアを確立することと、
前記ＵＥにおいて、前記第１のコンポーネントキャリアを維持しながら、前記第２のセルに関連付けられた第２のコンポーネントキャリアを確立することと、
前記ＵＥからのアップリンク送信のための利用可能なデータを有する論理チャネルグループのセットを決定することと、
第１のバッファステータス報告状態が発生したことを検出することと、
前記第１のバッファステータス報告状態の発生時に論理チャネルグループの前記セットのための前記利用可能なデータの総量に少なくとも部分的に基づいて第１のバッファステータス値を決定することと、
前記利用可能なデータの前記総量をしきい値と比較することと、
前記比較に基づいて前記第１のセル、前記第２のセル、または両方に前記第１のバッファステータス値を報告することと、
を行うように構成され、
報告することを行うように構成された前記少なくとも１つのプロセッサは、
前記利用可能なデータの前記総量が前記しきい値を下回るとき、前記第１のセルに前記第１のバッファステータス値を報告することと、
前記利用可能なデータの前記総量が前記しきい値に等しいかまたはそれを上回るとき、前記第１のセルと前記第２のセルとに前記第１のバッファステータス値を報告することと、
を行うようにさらに構成された、通信デバイス。
【請求項９】
前記少なくとも１つのプロセスは、
後続のバッファステータス報告状態が発生したことを検出することと、
前記後続のバッファステータス報告状態の発生時に論理チャネルグループの前記セットのための前記利用可能なデータの後続の総量に少なくとも部分的に基づいて第２のバッファステータス値を決定することと、
前記利用可能なデータの前記後続の総量を前記しきい値と比較することと、
前記利用可能なデータの前記後続の総量が前記しきい値を下回るとき、前記第２のセルへのバッファステータス値報告を中止することと、
を行うようにさらに構成された、請求項８に記載の通信デバイス。
【請求項１０】
前記第２のセルへのバッファステータス値報告を中止するように構成された前記少なくとも１つのプロセッサは、前記第２のセルに０のバッファステータス値を報告するように構成された、請求項９記載の通信デバイス。
【請求項１１】
ワイヤレス通信のためのコンピュータ実行可能なコードを記憶した非一時的コンピュータ可読媒体であって、
前記ＵＥにおいて、前記第１のセルに関連付けられた第１のコンポーネントキャリアを確立することと、
前記ＵＥにおいて、前記第１のコンポーネントキャリアを維持しながら、前記第２のセルに関連付けられた第２のコンポーネントキャリアを確立することと、
前記ＵＥからのアップリンク送信のための利用可能なデータを有する論理チャネルグループのセットを決定することと、
第１のバッファステータス報告状態が発生したことを検出することと、
前記第１のバッファステータス報告状態の発生時に論理チャネルグループの前記セットのための前記利用可能なデータの総量に少なくとも部分的に基づいて第１のバッファステータス値を決定することと、
前記利用可能なデータの前記総量をしきい値と比較することと、
前記比較に基づいて前記第１のセル、前記第２のセル、または両方に前記第１のバッファステータス値を報告することと、
のためのコードを備え、
前記報告することは、
前記利用可能なデータの前記総量が前記しきい値を下回るとき、前記第１のセルに前記第１のバッファステータス値を報告することと、
前記利用可能なデータの前記総量が前記しきい値に等しいかまたはそれを上回るとき、前記第１のセルと前記第２のセルとに前記第１のバッファステータス値を報告することと、
を備える、非一時的コンピュータ可読媒体。
【手続補正２】
【補正対象書類名】明細書
【補正対象項目名】０１３７
【補正方法】変更
【補正の内容】
【０１３７】
[00157]本開示についての以上の説明は、当業者が本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に本願の出願当初の特許請求の範囲に記載された発明を付記する。
[Ｃ１]  第１のセルおよび第２のセルと通信しているユーザ機器（ＵＥ）によるワイヤレス通信の方法であって、
前記ＵＥにおいて前記第１のセルに関連付けられた第１のコンポーネントキャリアを確立することと、
前記ＵＥにおいて、前記第１のコンポーネントキャリアを維持しながら、前記第２のセルに関連付けられた第２のコンポーネントキャリアを確立することと、
前記ＵＥからのアップリンク送信のための利用可能なデータを有する論理チャネルグループのセットを決定することと、
前記第１のセルに第１のアップリンク報告を送信することと、前記第１のアップリンク報告は前記利用可能なデータに少なくとも部分的に基づき、
前記第２のセルに第２のアップリンク報告を送信することと、前記第２のアップリンク報告は前記利用可能なデータに少なくとも部分的に基づく、を備える、方法。
[Ｃ２]  前記第１のアップリンク報告は前記第１のコンポーネントキャリア上で前記第１のセルに送信され、前記第２のアップリンク報告は前記第２のコンポーネントキャリア上で前記第２のセルに送信される、Ｃ１に記載の方法。
[Ｃ３]  前記第１のコンポーネントキャリアについてアップリンク許可要求の送信のための第１のリソースを割り当てる第１の構成を受信することと、
前記第２のコンポーネントキャリアについてアップリンク許可要求の送信のための第２のリソースを割り当てる第２の構成を受信することと、
をさらに備える、Ｃ２に記載の方法。
[Ｃ４]  前記第１のセルに論理チャネルグループの前記セットからの第１の論理チャネルグループを関連付けることと、
前記第１の論理チャネルグループに関連付けられた前記利用可能なデータの第１の量に少なくとも部分的に基づいて第１のバッファステータス値を決定することと、
前記第２のセルに論理チャネルグループの前記セットからの第２の論理チャネルグループを関連付けることと、
前記第２の論理チャネルグループに関連付けられた前記利用可能なデータの第２の量に少なくとも部分的に基づいて第２のバッファステータス値を決定することと、
をさらに備える、Ｃ１に記載の方法。
[Ｃ５]  前記第１のアップリンク報告は前記第１のバッファステータス値を含み、前記第２のアップリンク報告は前記第２のバッファステータス値を含む、Ｃ４に記載の方法。
[Ｃ６]  前記第１の論理チャネルグループと前記第２の論理チャネルグループとは前記ＵＥの無線リンク制御サブレイヤにおいて同じ論理チャネル識別子に関連付けられる、Ｃ４に記載の方法。
[Ｃ７]  第１のバッファステータス報告状態が発生したことを検出することと、
前記第１のバッファステータス報告状態の発生時に論理チャネルグループの前記セットのための前記利用可能なデータの総量に少なくとも部分的に基づいて第１のバッファステータス値を決定することと、
をさらに備え、
前記第１のアップリンク報告は前記第１のバッファステータス値を含む、Ｃ１に記載の方法。
[Ｃ８]  前記第２のセルに関連付けられた後続のバッファステータス報告機会を検出することと、
前記第１のバッファステータス報告状態の前記発生の時に論理チャネルグループの前記セットのための前記利用可能なデータの前記総量に少なくとも部分的に基づいて第２のバッファステータス値を決定することと、
をさらに備え、
前記第２のアップリンク報告は前記第２のバッファステータス値を含む、Ｃ７に記載の方法。
[Ｃ９]  前記第１のアップリンク報告は、前記第１のコンポーネントキャリアの第１のリソースを使用して送信され、前記第２のアップリンク報告は、前記第２のコンポーネントキャリアの第２のリソースを使用して送信される、Ｃ８に記載の方法。
[Ｃ１０]  前記第１のリソースを要求するために前記第１のセルに第１のスケジューリング要求を送信することと、
前記第２のリソースを要求するために前記第２のセルに第２のスケジューリング要求を送信することと、
をさらに備える、Ｃ９に記載の方法。
[Ｃ１１]  前記第１のスケジューリング要求は前記第１のコンポーネントキャリア上で送信され、前記第２のスケジューリング要求は前記第２のコンポーネントキャリア上で送信される、Ｃ１０に記載の方法。
[Ｃ１２]  前記第２のセルに関連付けられた後続のバッファステータス報告機会を検出することと、
前記後続のバッファステータス報告機会の発生時に論理チャネルグループの前記セットのための前記利用可能なデータの後続の総量に少なくとも部分的に基づいて第２のバッファステータス値を決定することと、
をさらに備え、
前記第２のアップリンク報告は前記第２のバッファステータス値を含む、Ｃ７に記載の方法。
[Ｃ１３]  前記第１のセルに関連付けられた第１のバッファ報告係数と、前記第２のセルに関連付けられた第２のバッファ報告係数とを決定すること、
をさらに備える、Ｃ７に記載の方法。
[Ｃ１４]  論理チャネルグループの前記セットのための前記利用可能なデータの前記総量と前記第１のバッファ報告係数とに少なくとも部分的に基づいて前記第１のバッファステータス値を決定することと、
論理チャネルグループの前記セットのための前記利用可能なデータの前記総量と前記第２のバッファ報告係数とに少なくとも部分的に基づいて第２のバッファステータス値を決定することと、
をさらに備える、Ｃ１３に記載の方法。
[Ｃ１５]  前記第１のバッファ報告係数と前記第２のバッファ報告係数とは、前記第１のセルまたは前記第２のセルの一方または両方に関連付けられたローディング情報、チャネル品質、または測定サービスメトリックのうちの１つまたは複数に少なくとも部分的に基づいて前記ＵＥによって決定される、Ｃ１３に記載の方法。
[Ｃ１６]  論理チャネルグループの前記セットのうちの第１の論理チャネルグループのための前記第１のセルに関連付けられた第１のバッファ報告係数を決定することと、
論理チャネルグループの前記セットのうちの第２の論理チャネルグループのための前記第１のセルに関連付けられた第２のバッファ報告係数を決定することと、  
をさらに備える、Ｃ７に記載の方法。
[Ｃ１７]  前記第１のコンポーネントキャリアのアップリンク許可の第１の部分において前記第１の論理チャネルグループに関連付けられたデータの第１のセットを送信することをさらに備え、ここで、前記アップリンク許可の前記第１の部分は、前記第１のバッファ報告係数に従って前記第１の論理チャネルグループに割り振られ、
前記アップリンク許可の第２の部分において前記第２の論理チャネルグループに関連付けられたデータの第２のセットを送信することと、ここで、前記アップリンク許可の前記第２の部分は、前記第２のバッファ報告係数に従って前記第２の論理チャネルグループに割り当てられる、
をさらに備える、Ｃ１６に記載の方法。
[Ｃ１８]  ワイヤレス通信ネットワークの第１のセルによって実行されるワイヤレス通信のための方法であって、
ユーザ機器（ＵＥ）との通信のための第１のコンポーネントキャリアを確立することと、
前記第１のセルと第２のコンポーネントキャリア上で前記ＵＥと通信している第２のセルとのリソースを割り振るための前記ＵＥに関連付けられたアップリンクサービス比を決定することと、
前記第１のセルへの送信のための前記ＵＥにおいて利用可能なアップリンクデータの量を示すアップリンク報告を受信することと、
前記アップリンク報告に少なくとも部分的に基づいて前記ＵＥのための前記第１のコンポーネントキャリアのアップリンクリソースをスケジュールすることと、
を備える、方法。
[Ｃ１９]  前記アップリンクサービス比は、前記第１のセルまたは前記第２のセルの一方または両方に関連付けられたローディング情報に少なくとも部分的に基づいて決定される、Ｃ１８に記載の方法。
[Ｃ２０]  前記アップリンクサービス比に基づいて前記第１のコンポーネントキャリアのためのスケーリング係数を決定することと、
前記ＵＥに前記スケーリング係数を送信することと、
をさらに備える、Ｃ１８に記載の方法。
[Ｃ２１]  第１のセルおよび第２のセルと通信しているユーザ機器（ＵＥ）によるワイヤレス通信の方法であって、
前記ＵＥにおいて前記第１のセルに関連付けられた第１のコンポーネントキャリアを確立することと、
前記ＵＥにおいて、前記第１のコンポーネントキャリアを維持しながら、前記第２のセルに関連付けられた第２のコンポーネントキャリアを確立することと、
前記ＵＥからのアップリンク送信のための利用可能なデータを有する論理チャネルグループのセットを決定することと、
第１のバッファステータス報告状態が発生したことを検出することと、
前記第１のバッファステータス報告状態の発生時に論理チャネルグループの前記セットのための前記利用可能なデータの総量に少なくとも部分的に基づいて第１のバッファステータス値を決定することと、
前記利用可能なデータの前記総量をしきい値と比較することと、
前記比較に基づいて前記第１のセル、前記第２のセル、または両方に前記第１のバッファステータス値を報告することと、
を備える、方法。
[Ｃ２２]  前記報告することは、前記利用可能なデータの前記総量が前記しきい値を下回るとき、前記第１のセルに前記第１のバッファステータス値を報告することを備える、Ｃ２１に記載の方法。
[Ｃ２３]  前記報告することは、前記利用可能なデータの前記総量が前記しきい値に等しいかまたはそれを上回るとき、前記第１のセルと前記第２のセルとに前記第１のバッファステータス値を報告することを備える、Ｃ２１に記載の方法。
[Ｃ２４]  後続のバッファステータス報告状態が発生したことを検出することと、
前記後続のバッファステータス報告状態の発生時に論理チャネルグループの前記セットのための前記利用可能なデータの後続の総量に少なくとも部分的に基づいて第２のバッファステータス値を決定することと、
前記利用可能なデータの前記後続の総量を前記しきい値と比較することと、
前記利用可能なデータの前記後続の総量が前記しきい値を下回るとき、前記第２のセルへのバッファステータス値報告を中止することと、
をさらに備える、Ｃ２３に記載の方法。
[Ｃ２５]  前記第２のセルへのバッファステータス値報告を前記中止することは、前記第２のセルに０のバッファステータス値を報告することを備える、Ｃ２４に記載の方法。
[Ｃ２６]  前記利用可能なデータの前記後続の総量が前記しきい値を下回るとき、前記第１のセルに前記第２のバッファステータス値を報告することと、
前記利用可能なデータの前記後続の総量が前記しきい値に等しいかまたはそれを上回るとき、前記第１のセルと前記第２のセルとに前記第２のバッファステータス値を報告することと、
をさらに備える、Ｃ２４に記載の方法。
[Ｃ２７]  ワイヤレス通信ネットワークの第１のセルおよび第２のセルとの通信のための通信デバイスであって、
前記通信デバイスにおいて前記第１のセルに関連付けられた第１のコンポーネントキャリアを確立するための手段と、
前記通信デバイスにおいて、前記第１のコンポーネントキャリアを維持しながら、前記第２のセルに関連付けられた第２のコンポーネントキャリアを確立するための手段と、
前記通信デバイスからのアップリンク送信のための利用可能なデータを有する論理チャネルグループのセットを決定するための手段と、
前記第１のセルに第１のアップリンク報告を送信するための手段と、前記第１のアップリンク報告は前記利用可能なデータに少なくとも部分的に基づき、
前記第２のセルに第２のアップリンク報告を送信するための手段と、前記第２のアップリンク報告は前記利用可能なデータに少なくとも部分的に基づき、
を備える、通信デバイス。
[Ｃ２８]  前記第１のアップリンク報告は前記第１のコンポーネントキャリア上で前記第１のセルに送信され、前記第２のアップリンク報告は前記第２のコンポーネントキャリア上で前記第２のセルに送信される、Ｃ２７に記載の通信デバイス。
[Ｃ２９]  前記第１のコンポーネントキャリアについてのアップリンク許可要求の送信のための第１のリソースを割り当てる第１の構成を受信するための手段と、
前記第２のコンポーネントキャリアについてのアップリンク許可要求の送信のための第２のリソースを割り当てる第２の構成を受信するための手段と、
をさらに備える、Ｃ２８に記載の通信デバイス。
[Ｃ３０]  前記第１のセルに論理チャネルグループの前記セットからの第１の論理チャネルグループを関連付けるための手段と、
前記第１の論理チャネルグループに関連付けられた前記利用可能なデータの第１の量に少なくとも部分的に基づいて第１のバッファステータス値を決定するための手段と、
前記第２のセルに論理チャネルグループの前記セットからの第２の論理チャネルグループを関連付けるための手段と、
前記第２の論理チャネルグループに関連付けられた前記利用可能なデータの第２の量に少なくとも部分的に基づいて第２のバッファステータス値を決定するための手段と、
をさらに備える、Ｃ２７に記載の通信デバイス。
[Ｃ３１]  前記第１のアップリンク報告は前記第１のバッファステータス値を含み、前記第２のアップリンク報告は前記第２のバッファステータス値を含む、Ｃ３０に記載の通信デバイス。
[Ｃ３２]  第１のバッファステータス報告状態が発生したことを検出するための手段と、
前記第１のバッファステータス報告状態の発生時に論理チャネルグループの前記セットのための前記利用可能なデータの総量に少なくとも部分的に基づいて第１のバッファステータス値を決定するための手段と、
をさらに備え、
前記第１のアップリンク報告は前記第１のバッファステータス値を含む、Ｃ２７に記載の通信デバイス。
[Ｃ３３]  前記第１のセルに関連付けられた第１のバッファ報告係数と、前記第２のセルに関連付けられた第２のバッファ報告係数とを決定するための手段
をさらに備える、Ｃ３２に記載の通信デバイス。
[Ｃ３４]  ワイヤレス通信ネットワークの通信デバイスであって、
前記通信デバイスにおいてユーザ機器（ＵＥ）との通信のための第１のコンポーネントキャリアを確立するための手段と、
前記第１のセルと第２のコンポーネントキャリア上で前記ＵＥと通信している第２のセルとのリソースを割り振るための前記ＵＥに関連付けられたアップリンクサービス比を決定するための手段と、
前記第１のセルへの送信のための前記ＵＥにおいて利用可能なアップリンクデータの量を示すアップリンク報告を受信するための手段と、
前記アップリンク報告に少なくとも部分的に基づいて前記ＵＥのための前記第１のコンポーネントキャリアのアップリンクリソースをスケジュールするための手段と、
を備える、通信デバイス。
[Ｃ３５]  前記アップリンクサービス比は、前記第１のセルまたは前記第２のセルの一方または両方に関連付けられたローディング情報に少なくとも部分的に基づいて決定される、Ｃ３４に記載の通信デバイス。
[Ｃ３６]  前記アップリンクサービス比に基づいて前記第１のコンポーネントキャリアのためのスケーリング係数を決定するための手段と、
前記ＵＥに前記スケーリング係数を送信するための手段と、
をさらに備える、Ｃ３４に記載の通信デバイス。
[Ｃ３７]  ワイヤレス通信ネットワークの第１のセルおよび第２のセルとの通信のための通信デバイスであって、
前記通信デバイスにおいて前記第１のセルに関連付けられた第１のコンポーネントキャリアを確立するための手段と、
前記通信デバイスにおいて、前記第１のコンポーネントキャリアを維持しながら、前記第２のセルに関連付けられた第２のコンポーネントキャリアを確立するための手段と、
前記通信デバイスからのアップリンク送信のための利用可能なデータを有する論理チャネルグループのセットを決定するための手段と、
第１のバッファステータス報告状態が発生したことを検出するための手段と、
前記第１のバッファステータス報告状態の発生時に論理チャネルグループの前記セットのための前記利用可能なデータの総量に少なくとも部分的に基づいて第１のバッファステータス値を決定するための手段と、
前記利用可能なデータの前記総量をしきい値と比較するための手段と、
前記比較に基づいて前記第１のセル、前記第２のセル、または両方に前記第１のバッファステータス値を報告するための手段と、
を備える、通信デバイス。
[Ｃ３８]  報告するための前記手段は、前記利用可能なデータの前記総量が前記しきい値を下回るとき、前記第１のセルに前記第１のバッファステータス値を報告するように構成された、Ｃ３７に記載の通信デバイス。
[Ｃ３９]  報告するための前記手段は、前記利用可能なデータの前記総量が前記しきい値に等しいかまたはそれを上回るとき、前記第１のセルと前記第２のセルとに前記第１のバッファステータス値を報告するように構成された、Ｃ３７に記載の通信デバイス。
[Ｃ４０]  後続のバッファステータス報告状態が発生したことを検出するための手段と、
前記後続のバッファステータス報告状態の発生時に論理チャネルグループの前記セットのための前記利用可能なデータの後続の総量に少なくとも部分的に基づいて第２のバッファステータス値を決定するための手段と、
前記利用可能なデータの前記後続の総量を前記しきい値と比較するための手段と、
前記利用可能なデータの前記後続の総量が前記しきい値を下回るとき、前記第２のセルへのバッファステータス値報告を中止するための手段と、
をさらに備える、Ｃ３９に記載の通信デバイス。
[Ｃ４１]  前記第２のセルへのバッファステータス値報告を中止するための前記手段は、前記第２のセルに０のバッファステータス値を報告するように構成された、Ｃ４０に記載の通信デバイス。
[Ｃ４３]  第１のセルおよび第２のセルとのユーザ機器（ＵＥ）による通信のためのコンピュータプログラム製品であって、
前記ＵＥにおいて前記第１のセルに関連付けられた第１のコンポーネントキャリアを確立するためのコードと、
前記ＵＥにおいて、前記第１のコンポーネントキャリアを維持しながら、前記第２のセルに関連付けられた第２のコンポーネントキャリアを確立するためのコードと、
前記ＵＥからのアップリンク送信のための利用可能なデータを有する論理チャネルグループのセットを決定するためのコードと、
前記第１のセルに第１のアップリンク報告を送信するためのコードと、前記第１のアップリンク報告は前記利用可能なデータに少なくとも部分的に基づき、
前記第２のセルに第２のアップリンク報告を送信するためのコードと、前記第２のアップリンク報告は前記利用可能なデータに少なくとも部分的に基づき、
を備える非一時的コンピュータ可読媒体を備える、コンピュータプログラム製品。
[Ｃ４４]  前記第１のアップリンク報告は前記第１のコンポーネントキャリア上で前記第１のセルに送信され、前記第２のアップリンク報告は前記第２のコンポーネントキャリア上で前記第２のセルに送信される、Ｃ４３に記載のコンピュータプログラム製品。
[Ｃ４５]  前記非一時的コンピュータ可読媒体は、
前記第１のコンポーネントキャリアについてのアップリンク許可要求の送信のための第１のリソースを割り当てる第１の構成を受信するためのコードと、
前記第２のコンポーネントキャリアについてのアップリンク許可要求の送信のための第２のリソースを割り当てる第２の構成を受信するためのコードと、
をさらに備える、Ｃ４４に記載のコンピュータプログラム製品。
[Ｃ４６]  前記非一時的コンピュータ可読媒体は、
前記第１のセルに論理チャネルグループの前記セットからの第１の論理チャネルグループを関連付けるためのコードと、
前記第１の論理チャネルグループに関連付けられた前記利用可能なデータの第１の量に少なくとも部分的に基づいて第１のバッファステータス値を決定するためのコードと、
前記第２のセルに論理チャネルグループの前記セットからの第２の論理チャネルグループを関連付けるためのコードと、
前記第２の論理チャネルグループに関連付けられた前記利用可能なデータの第２の量に少なくとも部分的に基づいて第２のバッファステータス値を決定するためのコードと、
をさらに備える、Ｃ４３に記載のコンピュータプログラム製品。
[Ｃ４７]  前記第１のアップリンク報告は前記第１のバッファステータス値を含み、前記第２のアップリンク報告は前記第２のバッファステータス値を含む、Ｃ４６に記載のコンピュータプログラム製品。
[Ｃ４８]  前記非一時的コンピュータ可読媒体は、
第１のバッファステータス報告状態が発生したことを検出するためのコードと、
前記第１のバッファステータス報告状態の発生時に論理チャネルグループの前記セットのための前記利用可能なデータの総量に少なくとも部分的に基づいて第１のバッファステータス値を決定するためのコードと、
をさらに備え、
前記第１のアップリンク報告は前記第１のバッファステータス値を含む、Ｃ４３に記載のコンピュータプログラム製品。
[Ｃ４９]  前記非一時的コンピュータ可読媒体は、
前記第１のセルに関連付けられた第１のバッファ報告係数と、前記第２のセルに関連付けられた第２のバッファ報告係数とを決定するためのコード
をさらに備える、Ｃ４８に記載のコンピュータプログラム製品。
[Ｃ５０]  ワイヤレス通信ネットワークの第１のセルによる通信のためのコンピュータプログラム製品であって、
ユーザ機器（ＵＥ）との通信のための第１のコンポーネントキャリアを確立するコードと、
前記第１のセルと第２のコンポーネントキャリア上で前記ＵＥと通信している第２のセルとのリソースを割り振るための前記ＵＥに関連付けられたアップリンクサービス比を決定するためのコードと、
前記第１のセルへの送信のための前記ＵＥにおいて利用可能なアップリンクデータの量を示すアップリンク報告を受信するためのコードと、
前記アップリンク報告に少なくとも部分的に基づいて前記ＵＥのための前記第１のコンポーネントキャリアのアップリンクリソースをスケジュールするためのコードと、
を備える非一時的コンピュータ可読媒体を備える、コンピュータプログラム製品。
[Ｃ５１]  前記アップリンクサービス比は、前記第１のセルまたは前記第２のセルの一方または両方に関連付けられたローディング情報に少なくとも部分的に基づいて決定される、Ｃ５０に記載のコンピュータプログラム製品。
[Ｃ５２]  前記非一時的コンピュータ可読媒体は、
前記アップリンクサービス比に基づいて前記第１のコンポーネントキャリアのためのスケーリング係数を決定するためのコードと、
前記ＵＥに前記スケーリング係数を送信するためのコードと、
をさらに備える、Ｃ５０に記載のコンピュータプログラム製品。
[Ｃ５３]    第１のセルおよび第２のセルと通信しているユーザ機器（ＵＥ）において、前記第１のセルに関連付けられた第１のコンポーネントキャリアを確立することと、
前記ＵＥにおいて、前記第１のコンポーネントキャリアを維持しながら、前記第２のセルに関連付けられた第２のコンポーネントキャリアを確立することと、
前記ＵＥからのアップリンク送信のための利用可能なデータを有する論理チャネルグループのセットを決定することと、
前記第１のセルに第１のアップリンク報告を送信することと、前記第１のアップリンク報告は前記利用可能なデータに少なくとも部分的に基づき、
前記第２のセルに第２のアップリンク報告を送信することと、前記第２のアップリンク報告は前記利用可能なデータに少なくとも部分的に基づき、
を行うように構成された少なくとも１つのプロセッサを備える通信デバイス。
[Ｃ５４]  前記少なくとも１つのプロセッサは、前記第１のコンポーネントキャリア上で前記第１のセルに前記第１のアップリンク報告を送信することと、前記第２のコンポーネントキャリア上で前記第２のセルに前記第２のアップリンク報告を送信することとを行うように構成された、Ｃ５３に記載の通信デバイス。
[Ｃ５５]  前記少なくとも１つのプロセッサは、
前記第１のコンポーネントキャリアについてのアップリンク許可要求の送信のための第１のリソースを割り当てる第１の構成を受信することと、
前記第２のコンポーネントキャリアについてのアップリンク許可要求の送信のための第２のリソースを割り当てる第２の構成を受信することと、
を行うようにさらに構成された、Ｃ５４に記載の通信デバイス。
[Ｃ５６]  前記少なくとも１つのプロセッサは、
前記第１のセルに論理チャネルグループの前記セットからの第１の論理チャネルグループを関連付けることと、
前記第１の論理チャネルグループに関連付けられた前記利用可能なデータの第１の量に少なくとも部分的に基づいて第１のバッファステータス値を決定することと、
前記第２のセルに論理チャネルグループの前記セットからの第２の論理チャネルグループを関連付けることと、
前記第２の論理チャネルグループに関連付けられた前記利用可能なデータの第２の量に少なくとも部分的に基づいて第２のバッファステータス値を決定することと、
を行うようにさらに構成された、Ｃ５３に記載の通信デバイス。
[Ｃ５７]  前記第１のアップリンク報告は前記第１のバッファステータス値を含み、前記第２のアップリンク報告は前記第２のバッファステータス値を含む、Ｃ５６に記載の通信デバイス。
[Ｃ５８]  前記少なくとも１つのプロセッサは、
第１のバッファステータス報告状態が発生したことを検出することと、
前記第１のバッファステータス報告状態の発生時に論理チャネルグループの前記セットのための前記利用可能なデータの総量に少なくとも部分的に基づいて第１のバッファステータス値を決定することと、
を行うようにさらに構成され、
前記第１のアップリンク報告は前記第１のバッファステータス値を含む、
Ｃ５３に記載の通信デバイス。
[Ｃ５９]  前記少なくとも１つのプロセッサは、
前記第１のセルに関連付けられた第１のバッファ報告係数と、前記第２のセルに関連付けられた第２のバッファ報告係数とを決定するようにさらに構成された、Ｃ５８に記載の通信デバイス。
[Ｃ６０]    ワイヤレス通信ネットワークの第１のセルによって、ユーザ機器（ＵＥ）との通信のための第１のコンポーネントキャリアを確立することと、
前記第１のセルと第２のコンポーネントキャリア上で前記ＵＥと通信している第２のセルとのリソースを割り振るための前記ＵＥに関連付けられたアップリンクサービス比を決定することと、
前記第１のセルへの送信のための前記ＵＥにおいて利用可能なアップリンクデータの量を示すアップリンク報告を受信することと、
前記アップリンク報告に少なくとも部分的に基づいて前記ＵＥのための前記第１のコンポーネントキャリアのアップリンクリソースをスケジュールすることと、
を行うように構成された少なくとも１つのプロセッサを備える通信デバイス。
[Ｃ６１]  前記アップリンクサービス比は、前記第１のセルまたは前記第２のセルの一方または両方に関連付けられたローディング情報に少なくとも部分的に基づいて決定される、Ｃ６０に記載の通信デバイス。
[Ｃ６２]  前記少なくとも１つのプロセッサは、
前記アップリンクサービス比に基づいて前記第１のコンポーネントキャリアのためのスケーリング係数を決定することと、
前記ＵＥに前記スケーリング係数を送信することと、
を行うようにさらに構成された、Ｃ６０に記載の通信デバイス。
[Ｃ６３]    第１のセルおよび第２のセルと通信しているユーザ機器（ＵＥ）において、前記第１のセルに関連付けられた第１のコンポーネントキャリアを確立することと、
前記ＵＥにおいて、前記第１のコンポーネントキャリアを維持しながら、前記第２のセルに関連付けられた第２のコンポーネントキャリアを確立することと、
前記ＵＥからのアップリンク送信のための利用可能なデータを有する論理チャネルグループのセットを決定することと、
第１のバッファステータス報告状態が発生したことを検出することと、
前記第１のバッファステータス報告状態の発生時に論理チャネルグループの前記セットのための前記利用可能なデータの総量に少なくとも部分的に基づいて第１のバッファステータス値を決定することと、
前記利用可能なデータの前記総量をしきい値と比較することと、
前記比較に基づいて前記第１のセル、前記第２のセル、または両方に前記第１のバッファステータス値を報告することと、
を行うように構成された少なくとも１つのプロセッサを備える通信デバイス。
[Ｃ６４]  報告するように構成された前記少なくとも１つのプロセッサは、前記利用可能なデータの前記総量が前記しきい値を下回るとき、前記第１のセルに前記第１のバッファステータス値を報告するようにさらに構成された、Ｃ６３に記載の通信デバイス。
[Ｃ６５]  報告するように構成された前記少なくとも１つのプロセッサは、前記利用可能なデータの前記総量が前記しきい値に等しいかまたはそれを上回るとき、前記第１のセルと前記第２のセルとに前記第１のバッファステータス値を報告するようにさらに構成された、Ｃ６３に記載の通信デバイス。
[Ｃ６６]  前記少なくとも１つのプロセスは、
後続のバッファステータス報告状態が発生したことを検出することと、
前記後続のバッファステータス報告状態の発生時に論理チャネルグループの前記セットのための前記利用可能なデータの後続の総量に少なくとも部分的に基づいて第２のバッファステータス値を決定することと、
前記利用可能なデータの前記後続の総量を前記しきい値と比較することと、
前記利用可能なデータの前記後続の総量が前記しきい値を下回るとき、前記第２のセルへのバッファステータス値報告を中止することと、
を行うようにさらに構成された、Ｃ６５に記載の通信デバイス。
[Ｃ６７]  前記第２のセルへのバッファステータス値報告を中止するように構成された前記少なくとも１つのプロセッサは、前記第２のセルに０のバッファステータス値を報告するように構成された、Ｃ６６に記載の通信デバイス。